(57)【要約】本発明は、無線接続システムで多数のキャリアを結合して使用する様々な方法及び装置、並びに多数のキャリアを結合して生成されるキャリアの構造に関する情報を提供する様々な方法及び装置を提供する。このキャリア集合情報送受信方法は、移動端末が該移動端末のマルチキャリア性能（ＭＣ）情報を含む第１メッセージを基地局に伝送する段階と、基地局から、ＭＣ情報に基づいて割り当てられた無線リソースに関する割当情報を含む第２メッセージを受信する段階と、を含むことができる。ここで、ＭＣ性能情報は、移動端末の支援可能なマルチキャリアに対する分光マスク形態パラメータを含むことができる。【選択図】図７
2011527549.tif 000002
【特許請求の範囲】
【請求項１】
キャリア集合情報を送受信する方法であって、
移動端末が、該移動端末のマルチキャリア性能（ＭＣ）情報を含む第１メッセージを基地局に伝送する段階と、
前記基地局から、前記ＭＣ情報に基づいて割り当てられた無線リソースに関する割当情報を含む第２メッセージを受信する段階と、
を含み、
前記ＭＣ性能情報は、前記移動端末の支援可能なマルチキャリアに対する分光マスク形態パラメータを含む、キャリア集合情報送受信方法。
【請求項２】
前記基地局から、該基地局で支援可能なキャリア集合と関連したマルチキャリア構成インデックス（ＭＣＩ）を受信する段階と、
前記ＭＣＩから、前記基地局で支援するマルチキャリア構成情報を獲得する段階と、
をさらに含む、請求項１に記載のキャリア集合情報送受信方法。
【請求項３】
前記ＭＣＩは、前記基地局で支援可能な前記キャリア集合の総帯域幅に関する情報、前記キャリア集合を構成するサブバンドの個数及び前記サブバンドの構成順序情報を含む、請求項２に記載のキャリア集合情報送受信方法。
【請求項４】
前記マルチキャリア構成情報は、前記キャリア集合の総帯域幅、前記キャリア集合を構成するキャリアの個数及び前記キャリア集合の中心周波数のうち１つ以上をさらに含む、請求項２に記載のキャリア集合情報送受信方法。
【請求項５】
前記分光マスク形態パラメータは、前記マルチキャリアに全体帯域幅対比有効帯域幅値として決定される、請求項２に記載のキャリア集合情報送受信方法。
【請求項６】
前記キャリア集合は、１つ以上のキャリアが結合して生成され、
前記１つ以上のキャリアが前記キャリア集合の中心周波数を基準に外側の方向に結合される、請求項２に記載のキャリア集合情報送受信方法。
【請求項７】
前記キャリア集合は、物理リソースユニット、ガードリソースユニット及び不規則物理リソースユニットのうち１つ以上を用いて構成される、請求項６に記載のキャリア集合情報送受信方法。
【請求項８】
キャリア集合情報を送受信する方法であって、
移動端末から、該移動端末のマルチキャリア性能（ＭＣ）情報を含む第１メッセージを受信する段階と、
前記ＭＣ情報に基づいて前記移動端末に無線リソースを割り当てる段階と、
前記無線リソースに関する割当情報を含む第２メッセージを前記移動端末に伝送する段階と、
を含み、
前記ＭＣ性能情報は、前記移動端末の支援可能なマルチキャリアに対する分光マスク形態パラメータを含む、キャリア集合情報送受信方法。
【請求項９】
基地局で支援可能なキャリア集合と関連したマルチキャリア構成インデックス（ＭＣＩ）を前記移動端末に伝送する段階をさらに含む、請求項８に記載のキャリア集合情報送受信方法。
【請求項１０】
前記ＭＣＩは、前記基地局で支援可能な前記キャリア集合の総帯域幅に関する情報、前記キャリア集合を構成するサブバンドの個数及び前記サブバンドの構成順序情報を含む、請求項９に記載のキャリア集合情報送受信方法。
【請求項１１】
前記キャリア集合は１つ以上のキャリアが結合して生成され、
前記１つ以上のキャリアが、前記キャリア集合の中心周波数を基準に外側の方向に結合される、請求項９に記載のキャリア集合情報送受信方法。
【請求項１２】
前記分光マスク形態パラメータは、前記マルチキャリアに全体帯域幅対比有効帯域幅値として決定される、請求項９に記載のキャリア集合情報送受信方法。
【発明の詳細な説明】
【技術分野】
【０００１】
本発明は、無線接続システムにおいて多数のキャリアを結合して使用する方法及び装置、並びに多数のキャリアを結合して生成されるキャリアの構造に関する情報を提供する方法及び装置に関するものである。
【背景技術】
【０００２】
以下、キャリア（Ｃａｒｒｉｅｒ）について簡略に説明する。
【０００３】
ユーザは、正弦波または周期的なパルス波の振幅、周波数及び／または位相などを変調することで、伝送しようとする情報を含めることができる。この場合、情報を搬送する役割を果たす正弦波またはパルス波をキャリアと呼ぶ。
【０００４】
キャリアを変調する方式には、シングルキャリア変調方式（ＳＣＭ：Ｓｉｎｇｌｅ−Ｃａｒｒｉｅｒ  Ｍｏｄｕｌａｒｔｉｏｎ  ｓｃｈｅｍｅ）またはマルチキャリア（ＭＣＭ：Ｍｕｌｔｉ−Ｃａｒｒｉｅｒ  Ｍｏｄｕｌａｔｉｏｎ  ｓｃｈｅｍｅ）変調方式がある。特に、シングルキャリア変調方式は、一つのキャリアに全情報を含めて変調する方式である。
【０００５】
マルチキャリア変調方式は、一つのキャリアの全体帯域幅チャネル（Ｃｈａｎｎｅｌ）を、複数個の小さい帯域幅を有するサブチャネル（Ｓｕｂ−ｃｈａｎｎｅｌ）に分割し、多数の狭帯域のサブキャリア（Ｓｕｂ−Ｃａｒｒｉｅｒ）を各サブチャネルを通じて多重伝送する技術のことをいう。
【０００６】
このようなマルチキャリア変調方式（ＭＣＭ）では、各サブチャネルは、小さい帯域幅によって平坦な特性（Ｆｌａｔ  Ｃｈａｎｎｅｌ）に近似化されることが可能である。また、ユーザは、簡単な等化器を用いてチャネルの歪みを補償することができる。また、マルチキャリア変調方式は、ＦＦＴ（Ｆａｓｔ  Ｆｏｕｒｉｅｒ  Ｔｒａｎｓｆｏｒｍ）を用いて高速で具現することができる。すなわち、このマルチキャリア変調方式は、シングルキャリア変調方式（ＳＣＭ）に比べて、高速のデータ伝送に有利である。
【０００７】
本発明の実施例では、一つ以上のキャリアを束ねて使用すること（Ｃａｒｒｉｅｒ  ａｇｇｒｅｇａｔｉｏｎ）によって広帯域を支援するマルチキャリアシステム（Ｍｕｌｔｉ  Ｃａｒｒｉｅｒ  Ｓｙｓｔｅｍ）を開示している。すなわち、以下に説明されるマルチキャリアシステムは、上述のように一つのキャリアを分けて使用するマルチキャリア変調方式とは違い、一つ以上のキャリアを束ねて使用する場合を示す。
【０００８】
多重帯域（Ｍｕｌｔｉ−Ｂａｎｄ；または、マルチキャリア（Ｍｕｌｔｉ−Ｃａｒｒｉｅｒ））を效率的に使用するために、複数のキャリア（例えば、複数の周波数割当帯域（ＦＡ：Ｆｒｅｑｕｅｎｃｅｃｙ  Ａｌｌｏｃａｔｉｏｎ））を、一つのＭＡＣ（Ｍｅｄｉｕｍ  Ａｃｃｅｓｓ  Ｃｏｎｔｒｏｌ）エンティティが管理する技術が提案されてきている。
【０００９】
図１の（ａ）及び（ｂ）は、多重帯域無線周波数（ＲＦ：Ｒａｄｉｏ  Ｆｒｅｑｕｅｎｃｙ）ベースの信号送受信方法を説明するための図である。
【００１０】
図１で、送信端及び受信端において、一つのＭＡＣ層は、マルチキャリアを效率的に使用するために複数のキャリアを管理することができる。この場合、マルチキャリアを效果的に送受信するために、送信端及び受信端は両方ともマルチキャリアを送受信できるとする。ここで、一つのＭＡＣ層で管理される周波数キャリア（ＦＣ：Ｆｒｅｑｕｅｎｃｙ  Ｃａｒｒｉｅｒ）は互いに隣接する必要がないから、リソース管理側面において柔軟である。すなわち、隣接キャリア集合（Ｃｏｎｔｉｇｕｏｕｓ  Ａｇｇｒｅｇａｔｉｏｎ）も非隣接キャリア集合（Ｎｏｎ−ｃｏｎｔｉｇｕｏｕｓ  Ａｇｇｒｅｇａｔｉｏｎ）も可能である。
【００１１】
図１の（ａ）及び（ｂ）において、ＰＨＹ０，ＰＨＹ１，…，ＰＨＹｎ−２、ＰＨＹ ｎ−１は、本技術に係る多重帯域を示し、それぞれの帯域は、あらかじめ定められた周波数政策によって特定サービスのために割り当てる周波数割当帯域（ＦＡ）の大きさを有することができる。例えば、ＰＨＹ０（ＲＦ  ｃａｒｒｉｅｒ  ０）は、一般ＦＭラジオ放送のために割り当てる周波数帯域の大きさを有することができ、ＰＨＹ１（ＲＦ  ｃａｒｒｉｅｒ  １）は、携帯電話通信のために割り当てる周波数帯域の大きさを有することができる。
【００１２】
このように、それぞれの周波数帯域はそれぞれの周波数帯域特性によって異なる周波数帯域の大きさを有することができるが、以下の説明では、説明の便宜上、各周波数割当帯域（ＦＡ）がＡ［ＭＨｚ］の大きさを有すると仮定する。また、それぞれの周波数割当帯域は、基底帯域信号を各周波数帯域で用いるためのキャリア周波数に代表されうるから、以下では、各周波数割当帯域は、“キャリア周波数帯域”と呼ぶこともでき、混同がない限り、単に、各キャリア周波数帯域を代表する“キャリア”と呼ぶこともできる。また、最近では、３ＧＰＰ  ＬＴＥ−Ａなどでは、上記のキャリアを、マルチキャリア方式で用いられるサブキャリアと区別するために、“成分キャリア（ｃｏｍｐｏｎｅｎｔ  ｃａｒｒｉｅｒ）”と呼ぶこともある。
【００１３】
このような面から、上記の“多重帯域”方式は、“マルチキャリア”方式または“キャリア集合（ｃａｒｒｉｅｒ  ａｇｇｒｅｇａｔｉｏｎ）”方式と呼ぶこともできる。
【００１４】
図１の（ａ）に示すように多重帯域を通して信号を伝送し、図１の（ｂ）に示すように多重帯域を通して信号を受信するために、送／受信機両方とも、多重帯域で信号を送受信するためのＲＦモジュールを含むことが要求される。また、図１において、“ＭＡＣ”は、ＤＬ及びＵＬにかかわることなく、基地局によってその構成方法が決定される。
【００１５】
簡単に説明すると、図１は、一つのＭＡＣエンティティ（Ｅｎｔｉｔｙ）（以下、混同がない限り、簡単に“ＭＡＣ”という。）が複数の無線周波数キャリアを管理／運営することによって信号を送／受信する技術を示している。また、一つのＭＡＣで管理されるＲＦキャリアが互いに隣接（ｃｏｎｔｉｇｕｏｕｓ）する必要はない。このため、本技術によると、リソース管理の側面においてより柔軟（ｆｌｅｘｉｂｌｅ）であるという利点がある。ただし、図１で、ユーザの要求事項またはチャネル環境に応じて、それぞれのキャリア別にそれぞれのＭＡＣエンティティが各キャリアを管理／運営することもできる。
【００１６】
図２は、キャリア集合システムにおいて周波数を割り当てる方法の一例を示す図である。
【００１７】
図２において、ＦＡ０乃至ＦＡ７はＲＦ０乃至ＲＦ７により管理されることができる。また、図２の例で、ＦＡ０、ＦＡ２、ＦＡ３、ＦＡ６及びＦＡ７は、既存の特定通信サービスに既にそれぞれ割り当てられているとした。一方、可用ＲＦ１（ＦＡ１）、ＲＦ４（ＦＡ４）、ＲＦ５（ＦＡ５）は、一つのＭＡＣ（ＭＡＣ#５）によって效果的に管理されることができる。ここで、一つのＭＡＣを構成するＲＦキャリアは、上述したように、互いに隣接していなくても良いので、周波数リソースをより效果的に管理することができる。
【００１８】
ダウンリンクから説明すると、上述した多重帯域支援方式またはキャリア統合支援方式の概念について、下記のような基地局／端末のシナリオを取り上げることができる。
【００１９】
図３は、多重帯域支援方式において、一つの基地局と複数の端末との間で通信がなされるシナリオの一例を示す図である。
【００２０】
図３において、端末機（ＭＳまたはＵＥ）０、１及び２は、互いに多重化（ｍｕｌｔｉｐｌｅｘｉｎｇ）されていると仮定する。基地局（ＢＳまたはＮｏｄｅ−Ｂ）０は、ＲＦ０、ＲＦ１のキャリアにより管理される周波数帯域を通して信号を伝送することができる。また、端末機０は、ＲＦ０のみを受信できる性能を有し、端末機１は、ＲＦ０及びＲＦ１を受信することができ、端末機２は、ＲＦ０、ＲＦ１及びＲＦ２を受信することができると仮定する。この場合、端末機２は、基地局がＲＦ０及びＲＦ１のみを伝送するので、ＲＦ０及びＲＦ１のみに対して信号を受信することができる。
【発明の概要】
【発明が解決しようとする課題】
【００２１】
一般の無線通信システムは、一つの帯域幅（すなわち、一つのキャリア）を用いてデータを伝送する方式を用いている。無線データの伝送容量を高めるために、２世代移動通信の場合、システムの帯域幅を２００ＫＨｚ〜１．２５ＭＨｚに拡張しようとしており、３世帯移動通信の場合、システム帯域幅を５ＭＨｚ〜１０ＭＨｚに拡張しようとしている。また、最近の３ＧＰＰ  ＬＴＥ（Ｔｈｅ  ３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）システムまたはＩＥＥＥ  ８０２．１６ｍ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ８０２．１６ｍ）システムの場合には、システム帯域幅を２０ＭＨｚまで拡張しようとしており、システム帯域幅の拡張は続いている。
【００２２】
無線データの伝送容量を高めるために帯域幅を増大させる方法は必須であるが、この場合、現在要求されるサービスのレベルが小さい場合であっても大きい帯域幅を支援しなければならず、電力消耗が大きく増加することがある。また、現在のシステムをこのような要求事項の支援のために再使用することができないという問題もある。
【００２３】
このような問題を解決するために、複数の個別の帯域幅を同時に送受信するマルチキャリア（Ｍｕｌｔｉｃａｒｒｉｅｒ）伝送方法への研究がなされている。最近、一つ以上のマルチキャリアを使用することを、キャリア集合（Ｃａｒｒｉｅｒ  ａｇｇｒｅｇａｔｉｏｎ）と呼んでいる。
【００２４】
ただし、現在の移動通信技術において多重帯域ベースの通信方式は多少概念的にしか定義されておらず、必要によって単にＦＡ（Ｆｒｅｑｕｅｎｃｙ  Ａｓｓｉｎｇｍｅｎｔ）のみをさらに割り当てるものと見なされることもある。
【００２５】
したがって、より効率的で高性能のプロセシングを可能にする多重化方法及び多重化されたキャリア集合の構造や、キャリア集合の構造に関する情報を送受信する方法についてより具体的に規定する必要がある。
【００２６】
本発明は、上記の一般的な技術における問題点及び必要を解決するために案出されたもので、その目的は、多数のキャリアを結合して使用する方法を提供することにある。
【００２７】
本発明の他の目的は、キャリア集合構造を效率的に生成する方法及び装置を提供することにある。
【００２８】
本発明のさらに他の目的は、キャリア集合の構造に関する情報を送受信する方法及び装置を提供することによって、無線チャネルの使用効率を上げることにある。
【００２９】
本発明で達成しようとする技術的課題は、以上で言及した事項に制限されるものではなく、言及していない別の技術的課題は、以下に説明する本発明の実施例から、本発明の属する技術分野における通常の知識を有する者には明らかになるであろう。
【課題を解決するための手段】
【００３０】
本発明は、無線接続システムにおいて多数のキャリアを結合して使用する様々な方法及び装置、並びに多数のキャリアを結合して生成されるキャリアの構造に関する情報を提供する様々な方法及び装置を提供する。
【００３１】
本発明の一様態に係るキャリア集合情報を送受信する方法は、移動端末が移動端末のマルチキャリア性能（ＭＣ）情報を含む第１メッセージを基地局に伝送する段階と、基地局からＭＣ情報に基づいて割り当てられた無線リソースに関する割当情報を含む第２メッセージを受信する段階と、を含むことができる。ここで、ＭＣ性能情報は、移動端末の支援可能なマルチキャリアに対する分光マスク形態パラメータを含むことができる。
【００３２】
上記本発明の一様態は、基地局で支援可能なキャリア集合と関連したマルチキャリア構成インデックス（ＭＣＩ）を受信する段階と、ＭＣＩから、基地局で支援するマルチキャリア構成情報を獲得する段階と、をさらに含むことができる。ここで、ＭＣＩは、基地局で支援可能なキャリア集合の総帯域幅に関する情報、キャリア集合を構成するサブバンドの個数及びサブバンドの構成順序情報を含むことができる。また、マルチキャリア構成情報は、キャリア集合の総帯域幅、キャリア集合を構成するキャリアの個数及びキャリア集合の中心周波数のうち一つ以上をさらに含むことができる。
【００３３】
上記本発明の一様態において、分光マスク形態パラメータは、マルチキャリアに、全体帯域幅対比有効帯域幅値として決定されることができる。また、キャリア集合は、一つ以上のキャリアが結合して生成されることができ、一つ以上のキャリアが、キャリア集合の中心周波数を基準に外側の方向に結合されることができる。この場合、キャリア集合は、物理リソースユニット、ガードリソースユニット及び不規則物理リソースユニットのうち一つ以上を用いて構成されることができる。
【００３４】
本発明の他の様態に係るキャリア集合情報を送受信する方法は、基地局で、移動端末のマルチキャリア性能（ＭＣ）情報を含む第１メッセージを受信する段階と、ＭＣ情報に基づいて移動端末に無線リソースを割り当てる段階と、無線リソースに関する割当情報を含む第２メッセージを移動端末に伝送する段階と、を含むことができる。この場合、ＭＣ性能情報は、移動端末の支援可能なマルチキャリアに対する分光マスク形態パラメータを含むことができる。
【００３５】
上記本発明の他の様態は、基地局で支援可能なキャリア集合と関連したマルチキャリア構成インデックス（ＭＣＩ）を移動端末に伝送する段階をさらに含むことができる。この場合、ＭＣＩは、基地局で支援可能なキャリア集合の総帯域幅に関する情報、キャリア集合を構成するサブバンドの個数及びサブバンドの構成順序情報を含むことができる。
【００３６】
上記本発明の他の様態において、キャリア集合は、一つ以上のキャリアが結合して生成されることができ、一つ以上のキャリアが、キャリア集合の中心周波数を基準に外側の方向に結合されることができる。また、分光マスク形態パラメータは、マルチキャリアに全体帯域幅対比有効帯域幅値として決定されることができる。
【発明の効果】
【００３７】
本発明の実施例によると、下記のような効果がある。
【００３８】
第一、多数のキャリアを結合して使用する方法を提供することができる。
【００３９】
第二、キャリア集合構造を效率的に生成することができる。
【００４０】
第三、キャリア集合の構造に関する情報を送受信する方法及び装置を用いることによって無線チャネルを效率的に使用することができる。
【００４１】
本発明の実施例から得られる効果は、以上で言及した効果に制限されず、言及していない別の効果は、以下の本発明の実施例についての記載から、本発明の属する技術分野における通常の知識を有する者にとって明らかになるであろう。
【図面の簡単な説明】
【００４２】
【図１】多重帯域無線周波数ベースの信号送受信方法を説明するための図である。
【図２】キャリア集合システムで周波数を割り当てる方法の一例を示す図である。
【図３】多重帯域支援方式において、一つの基地局と複数の端末との間で通信がなされるシナリオの一例を示す図である。
【図４】キャリア集合の基本的な構造を示す図である。
【図５】本発明の実施例で使用可能な伝送分光マスク構造及び分光マスクの一例を示す図である。
【図６】本発明の実施例で使用可能な伝送分光マスク構造及び分光マスクの一例を示す図である。
【図７】本発明の一実施例であって、移動端末で支援可能な分光マスク性能を基地局に知らせる方法を示す図である。
【図８】本発明の一実施例であって、キャリア集合のための隣接したキャリアにおけるサブキャリア整列方法を示す図である。
【図９】本発明の他の実施例であって、キャリア集合を構成する方法を示す図である。
【図１０】本発明の他の実施例であって、キャリア集合の構造の一例を示す図である。
【図１１】本発明の他の実施例であって、キャリア集合の構造の他の例を示す図である。
【図１２】本発明のさらに他の実施例であって、ＭＣＩ情報を送受信する方法の一例を示す図である。
【図１３】本発明のさらに他の実施例であって、ＭＣＩ情報を送受信する方法の他の例を示す図である。
【発明を実施するための形態】
【００４３】
本発明は、無線接続システムに関するものである。以下では、無線接続システムにおいて多数のキャリアを結合して使用する様々な方法及び装置、並びに多数のキャリアを結合して生成されるキャリアの構造に関する情報を提供する様々な方法及び装置を開示する。
【００４４】
下記の実施例は、本発明の構成要素及び特徴を所定の形態で結合したものである。各構成要素または特徴は、別の明示的な言及がない限り、選択的なものとして考慮することができる。各構成要素または特徴は、他の構成要素や特徴と結合しない形態で実施することができる。また、一部の構成要素及び／または特徴を結合して本発明の実施例を構成することもできる。本発明の実施例で説明される動作の順序は変更可能である。ある実施例の一部構成や特徴は、他の実施例に含まれることもでき、他の実施例の対応する構成または特徴に取って代わることもできる。
【００４５】
図面に関する説明において、本発明の要旨を曖昧にさせるとされる手順または段階などは説明を省略し、当業者のレベルで理解できるような手順または段階も説明を省略するものとする。
【００４６】
本明細書において、本発明の実施例は、基地局と移動局間のデータ送受信関係を中心に説明された。ここで、基地局は、移動局と直接的に通信を行うネットワークの終端ノード（ｔｅｒｍｉｎａｌ  ｎｏｄｅ）の意味を有する。本文書で、基地局により行われると説明された特定動作は、場合によっては、基地局の上位ノード（ｕｐｐｅｒ  ｎｏｄｅ）により行われることもできる。
【００４７】
すなわち、基地局を含む多数のネットワークノード（ｎｅｔｗｏｒｋ  ｎｏｄｅｓ）からなるネットワークにおいて移動局との通信のために行われる種々の動作は、基地局または基地局以外の別のネットワークノードにより行われることができる。ここで、‘基地局’は、固定局（ｆｉｘｅｄ  ｓｔａｔｉｏｎ）、Ｎｏｄｅ  Ｂ、ｅＮｏｄｅ  Ｂ（ｅＮＢ）、発展された基地局（ＡＢＳ：Ａｄｖａｎｃｅｄ  Ｂａｓｅ  Ｓｔａｔｉｏｎ）またはアクセスポイント（ａｃｃｅｓｓ  ｐｏｉｎｔ）などの用語に代替可能である。また、‘移動局（ＭＳ：Ｍｏｂｉｌｅ  Ｓｔａｔｉｏｎ）’は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展された移動端末（ＡＭＳ：Ａｄｖａｎｃｅｄ  Ｍｏｂｉｌｅ  Ｓｔａｔｉｏｎ）または端末（Ｔｅｒｍｉｎａｌ）などの用語に代替可能である。
【００４８】
また、送信端は、データサービスまたは音声サービスを提供する固定及び／または移動ノードのことをいい、受信端は、データサービスまたは音声サービスを受信する固定及び／または移動ノードを意味する。したがって、アップリンクでは移動局を送信端とし、基地局を受信端とすることができる。同様に、ダウンリンクでは移動局を受信端とし、基地局を送信端とすることができる。
【００４９】
一方、本発明で、移動局には、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブックＰＣ、スマート（Ｓｍａｒｔ）フォンまたはマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【００５０】
ここで、スマートフォンとは、移動通信端末機と個人携帯端末機との長所を結合した端末機で、移動通信端末機に、個人携帯端末機の機能である日程管理、ファックス送受信及びインターネット接続などのデータ通信機能を統合した端末機のことを意味することができる。また、マルチモードマルチバンド端末機とは、マルチモデムチップを内蔵して、携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システム等）のいずれにおいても作動できる端末機のことをいう。
【００５１】
本発明の実施例は様々な手段によって具現することができる。例えば、本発明の実施例は、ハードウェア、ファームウェア（ｆｉｒｍｗａｒｅ）、ソフトウェアまたはそれらの結合などにより具現することができる。
【００５２】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００５３】
ファームウェアやソフトウェアによる具現の場合、本発明の実施例に係る方法は、以上で説明された機能または動作を行うモジュール、手順または関数などの形態で具現することができる。ソフトウェアコードはメモリーユニットに記憶されてプロセッサにより駆動されることができる。メモリーユニットは、プロセッサの内部または外部に設けられて、既に公知の様々な手段によりプロセッサとデータを交換することができる。
【００５４】
本発明の実施例は、無線接続システムであるＩＥＥＥ  ８０２システム、３ＧＰＰシステム、３ＧＰＰ  ＬＴＥシステム及び３ＧＰＰ２システムのうち少なくとも一つに開示された標準文書によりサポートされることができる。すなわち、本発明の実施例のうち、本発明の技術的思想を明確にするために説明を省略した段階または部分は、これらの文書によりサポートすることができる。また、本文書で開示している用語はいずれも上記の標準文書により説明することができる。特に、本発明の実施例は、ＩＥＥＥ  ８０２．１６システムの標準文書であるＰ８０２．１６−２００４、Ｐ８０２．１６ｅ−２００５及びＰ８０２．１６Ｒｅｖ２のうち一つ以上によりサポートされることができる。
【００５５】
以下、本発明の好適な実施形態を、添付の図面を参照しつつ詳細に説明する。添付の図面と共に以下に開示される詳細な説明は、本発明の例示的な実施形態を説明するためのもので、本発明の実施可能な唯一の実施形態を示すためのものではない。
【００５６】
また、本発明の実施例で使われる特定用語は、本発明の理解を助けるために提供されたものであり、このような特定用語の使用は、本発明の技術的思想を逸脱しない範囲で別の形態に変更することもできる。
【００５７】
図４は、キャリア集合の基本的な構造を示す図である。
【００５８】
図４を参照すると、キャリア集合は、ガードバンド（Ｇｕａｒｄ  Ｂａｎｄ）、ガードリソース（Ｇｕａｒｄ  Ｒｅｓｏｕｒｃｅ）及びサブバンド（Ｓｕｂ−ｂａｎｄ  １−４）で構成されることができる。キャリア集合は、隣接して位置している多重サブバンド上でデータを伝送するために単一ＲＦ（Ｒａｄｉｏ  Ｆｒｅｑｕｅｎｃｙ）伝送器及び一つのＢＢプロセシング（すなわち、ｓｉｎｇｌｅ  ｌａｒｇｅ  ＦＦＴ）を用いることができる。２０ＭＨｚよりも大きい帯域幅（Ｌａｇｅｒ  Ｂａｎｄｗｉｄｔｈ）はキャリア集合により支援されることができる。
【００５９】
本発明の実施例で、サブバンド（Ｓｕｂ−Ｂａｎｄ）は、ＩＥＥＥ  ８０２．１６ｍ信号を伝送するための大きい帯域幅を構成するために結合される独立した無線帯域である。それぞれのサブバンドは、大きい帯域幅として結合されても、移動端末を支援するためにシングルキャリアとしての元来構造を維持する。また、ガードリソースは、キャリア結合後に伝送可能な追加的なサブキャリアで構成される。ガードリソースの大きさは、隣接している２サブバンドに依存する。
【００６０】
図４で、結合された帯域幅のエッジ（Ｅｄｇｅ）に位置しているガードバンドのサブキャリアは、伝送には使用されない。ガードバンドは、他の大きい帯域幅との干渉を防止するためのサブキャリア区間である。また、結合された大きい帯域幅の中心周波数（Ｃｅｎｔｅｒ  Ｆｒｅｑｕｅｎｃｙ）は、結合された総帯域幅の中間を示す。中心周波数は、ガードリソースまたはサブバンドに位置することができる。
【００６１】
サブバンドの中心に大きい帯域幅の中心周波数が位置する場合は、当該サブバンドの中心周波数と同じ位置とされることができる。中心周波数は、ＤＣオフセット値を減らすためにパンクチャリング（Ｐｕｎｃｔｕｒｉｎｇ）されることができる。また、図４で、サブバンドの中心周波数は、各サブバンド周波数帯域の中心に位置することができる。
【００６２】
（キャリア集合構成のための帯域幅要求条件）
ＩＭＴアドバンス（ＩＭＴ−Ａｄｖａｎｃｅ）システムに対するＩＴＵ−Ｒ要求条件で、支援する最小帯域幅は４０ＭＨｚと決定され、１００ＭＨｚまでの大きい帯域幅まで拡張されることが推奨されている。また、ＩＭＴアドバンスシステムの一つであるＩＥＥＥ８０２．１６ｍシステムは、５乃至４０ＭＨｚまでの拡張可能な帯域幅を支援しなければならず、このような拡張可能な帯域幅は、単一ＲＦキャリアまたは多重ＲＦキャリアにより支援可能であるということを示している。
【００６３】
現在ＩＥＥＥ８０２．１６ｍシステムは、無線通信システムの２０ＭＨｚまでの動作を定義しており、キャリア集合に対するこのような限界を拡張しようとしている。たとえ多重ＲＦキャリアが考慮されているものの、キャリア集合の構造は、次のような要求条件を満たすことが好ましい。
【００６４】
（１）最大データ率（Ｐｅａｋ  Ｄａｔａ  Ｒａｔｅ）：最大移動時に１００Ｍｂｉｔ／ｓ、最小移動時に１Ｇｂｉｔ／ｓ
（２）帯域幅：単一ＲＦキャリアまたは多重ＲＦキャリアにより支援されるべきであり、４０ＭＨｚを含めて１００ＭＨｚまでの拡張が支援されなければならない。
【００６５】
（３）最大分光効率：ダウンリンク（ＤＬ）の場合１５ｂｉｔｓ／ｓ／Ｈｚ、アップリンク（ＵＬ）の場合６．７５ｂｉｔｓ／ｓ／Ｈｚ
このような要求条件から、最大結合帯域幅（ＦＡＢＷ）に対する最小要求を次のようにして誘導することができる：ＦＡＢＷ≧１Ｇｂｐｓ／１５ｂｐｓ／Ｈｚ＝６６．６６ＭＨｚ。したがって、６７ＭＨｚよりも大きい帯域幅（例えば、７０、８０、９０、または１００ＭＨｚ）を考慮することが好ましい。もちろん、これらの要求条件は、ユーザの要求事項または無線チャネル環境によって変わることができる。
【００６６】
Ａ．サブバンドの帯域幅
まず、キャリア集合に使用可能な帯域幅は、５ＭＨｚ、１０ＭＨｚ及び２０ＭＨｚの中から決定することができる。ただし、過多な変数を考慮して、本願発明の実施例では、キャリア集合を生成するために５ＭＨｚの帯域幅を使用する場合は省略した。
【００６７】
Ｂ．キャリア集合の総帯域幅
キャリア集合の総帯域幅は、ＦＦＴ大きさと密接な関連がある。複雑度の観点からＦＦＴを使用することが好ましい。したがって、１０、２０、４０及び８０ＭＨｚの帯域幅を考慮しなければならない。上記の最小要求帯域幅（６６．６６ＭＨｚ）からすれば、１Ｇｂｐの最大データ伝送率を支援するのに８０ＭＨｚで充分である。
【００６８】
移動端末が最大８１９２  ＦＦＴを支援すると仮定する。たとえこのような方法がダミー（ｄｕｍｍｙ）動作及び大きいＬＮＡ帯域幅に対するＳＮＲ損失を招くとしても、８０ＭＨｚの信号を受信した後に追加的な帯域を除去することによって、他の帯域を全て受信することができる。
【００６９】
終端複雑度の観点からは、結合された帯域幅として８０ＭＨｚよりも大きい帯域（例えば、９０、１００ＭＨｚ）を支援するか否かを決定するためのさらなる議論が必要である。１６３８４  ＦＦＴを行わなければならず、要求される複雑度は非常に大きくなるであろう。
【００７０】
多重ＲＦ送受信器（ＲＦ  ｔｒａｎｓｃｅｉｖｅｒ）を使用するための別の接近として、５０ＭＨｚの帯域幅は１０ＭＨｚと４０ＭＨｚとの結合、６０ＭＨｚの帯域幅は２０ＭＨｚと４０ＭＨｚとの結合、１００ＭＨｚは８０ＭＨｚと２０ＭＨｚとの結合または６０ＭＨｚと４０ＭＨｚとの結合を考慮することができる。こうすると、結合された各帯域のガードバンドを使用しなくて済み、上述した損失の問題を最小化することができる。
【００７１】
Ｃ．伝送分光マスクを考慮した分光形態
図５及び図６は、本発明の実施例で使用可能な伝送分光マスク構造及び分光マスクの一例を示す図である。
【００７２】
ＩＥＥＥ  ８０２．１６ｍシステムで、送受信端は、イメージ（Ｉｍａｇｅ）干渉を減らすために、オーバーサンプリング（ｏｖｅｒｓａｍｐｌｉｎｇ）をしてデータを伝送する。例えば、１０ＭＨｚ信号の伝送は、実際に１０２４  ＩＦＦＴを１１．２ＭＨｚ帯域幅（ＢＷ）にわたって行った後、このうち、１０ＭＨｚに該当する９１４サブキャリアのみを伝送し、実際に、そのうちの８６４サブキャリアのみをデータ伝送に使用する。こうする場合、一般的にダウンリンクでは問題がないが、アップリンクでは問題が発生することがある。
【００７３】
下記の表１に、分光マスクパラメータフォーマットの一例を示す。
【００７４】
【表１】
2011527549.tif 000003
表１は、１０ＭＨｚ及び２０ＭＨｚの単一周波数帯域の分光マスクと２０ＭＨｚ帯域の結合キャリア集合の分光マスクに対するパラメータを表すものである。表１で、Ａ、Ｂ、Ｃ及びＤはそれぞれ、図５で周波数帯域に対応する。図６は、図５の分光マスク構造に表１の分光マスクパラメータを代入した場合に導かれる分光マスクスペクトラルを示す。
【００７５】
表１の第一及び第二の行で定義されたような分光マスク（Ｓｐｅｃｔｒａｌ  Ｍａｓｋ）をシングルキャリアシステムで使用すると仮定した時、上述した問題を解決するために、結合された２０ＭＨｚ（ａｇｇｒｅｇａｔｅｄ  ２０ＭＨｚ）帯域ではそのパラメータ値をそれぞれ別に定義することが好ましく、このようなパラメータは移動端末の性能（ｃａｐａｂｉｌｉｔｙ）と定義することができる。
【００７６】
基地局は、ダウンリンク制御チャネルでは、移動端末の性能にしたがって該当の移動端末が結合された２０ＭＨｚの分光マスクを支援する場合に、エッジバンド（ｅｄｇｅ  ｂａｎｄ）に位置しているリソースユニット（ＲＵ：Ｒｅｓｏｕｒｃｅ  Ｕｎｉｔ）を使用できるようにスケジュールすることが好ましい。もし、移動端末の性能が、結合された２０ＭＨｚの分光マスクを支援できない場合、基地局は、移動端末の送信できない領域にはリソースユニット（ＲＵ）を割り当ててはならない。このような制限を、移動端末のアップリンク制御チャネル（ＵＬ  ｃｏｎｔｒｏｌ  ｃｈａｎｎｅｌ）にも同様に適用することができる。
【００７７】
移動端末が、表１で説明した分光マスクパラメータ（Ｓｐｅｃｔｒａｌ  Ｍａｓｋ  Ｐａｒａｍｅｔｅｒ）を、自身の性能（ｃａｐａｂｉｌｉｔｙ）として基地局に伝送する場合、全帯域幅に対して分光マスクパラメータを個別に伝送することは非効率的である。また、一般に、分光マスク値は伝送フィルター（Ｔｘ  ｆｉｌｔｅｒ）のタップ（ｔａｐ）数と関連している。
【００７８】
より効率的な表現方法として、移動端末は分光マスクパラメータを個別な性能として基地局に伝送する代わりに、全帯域幅（例えば、１０ＭＨｚ）対比有効帯域幅（例えば、２Ａ値）値である分光マスク形態パラメータとして基地局に伝送することもできる。
【００７９】
下記の数学式１によって、分光マスク形態（Ｓｐｅｃｔｒａｌ  Ｍａｓｋ  Ｓｈａｐｅ）分光マスク形態パラメータを計算することができる。
【００８０】
【数１】
2011527549.tif 000004
例えば、数学式１を参照すると、既存のシングルキャリア（例えば、１０ＭＨｚ及び２０ＭＨｚ）の場合には、分光マスク形態パラメータ値がそれぞれ２＊４．７５／１０＝０．９５（１０ＭＨｚ）及び２＊９．５／２０＝０．９５（２０ＭＨｚ）であるが、結合された２０ＭＨｚの帯域幅の場合は、２＊９．７５／２０＝０．９７５となる。もし、１０ＭＨｚが４個集まった４０ＭＨｚである場合には、２＊１９．７５／４０＝０．９８７５となる。また、２０ＭＨｚが２個集まった４０ＭＨｚである場合には、２＊１９．５／４０＝０．９７５が要求条件となる。このような有効帯域幅値は、主に、数個の定められた場合のみを仮定するので、少ないビットで表現することができる。
【００８１】
下記の表２は、分光マスク性能を分光マスク形態パラメータで表したものである。
【００８２】
【表２】
2011527549.tif 000005
表２は、移動端末で支援可能な分光マスク形態パラメータで、３ビットの大きさを有するインデックスで表現することができる。移動端末は、基地局への性能交渉過程または初期登録過程で自身の性能を基地局に知らせることができる。この場合、移動端末は、自身の支援可能な分光マスク性能を分光マスク形態パラメータとして基地局に知らせることができる。
【００８３】
図７は、本発明の一実施例であって、移動端末で支援可能な分光マスク性能を基地局に知らせる方法を示す図である。
【００８４】
移動端末（ＡＭＳ）は、基地局（ＡＢＳ）に初期登録する過程で登録要請（ＲＥＧ−ＲＥＱ）メッセージに、性能交渉過程で加入者端末基本性能要請（ＳＢＣ−ＲＥＱ）メッセージに、遊休モード状態で位置更新時にレンジング要請（ＲＮＧ−ＲＥＱ）メッセージに、またはネットワーク進入後にマルチキャリア性能要請（ＭＣ−ＲＥＱ）メッセージに、表２の分光マスク形態パラメータを含めて基地局に伝送することができる（Ｓ７１０）。
【００８５】
Ｓ７１０段階において、分光マスク形態パラメータを移動端末の性能情報に含めて基地局に伝送することができる。
【００８６】
基地局は、移動端末の分光マスク形態パラメータを受信することによって、移動端末で支援するキャリア情報（すなわち、レガシーキャリアまたはキャリア集合を支援するか否か）を確認することができる。すなわち、移動端末が支援する有効帯域幅及び全体帯域幅を確認することができる。したがって、基地局は、それぞれの手順で分光マスク形態パラメータに対応するとともに、基地局で支援するシステム情報（例えば、キャリア構造等）を含む登録応答（ＲＥＧ−ＲＳＰ）メッセージ、加入者端末基本性能応答（ＳＢＣ−ＲＳＰ）メッセージ、レンジング応答（ＲＮＧ−ＲＳＰ）メッセージまたはマルチキャリア性能応答（ＭＣ−ＲＳＰ）メッセージを移動端末に伝送することができる（Ｓ７２０）。
【００８７】
図７に示すように、移動端末と基地局間にマルチキャリア（キャリア集合）のための性能交渉手順が別に定義される場合は、該当の段階で移動端末はマルチキャリア性能（ＭＣ）パラメータを基地局に伝送することができる。図７に挙げられたメッセージは、本願発明の技術的思想を表すための例示に過ぎないもので、同じ機能及び動作を行う別のメッセージを用いることもできる。
【００８８】
（キャリア集合構成方法）
以下では、キャリア集合に対するリソースユニット（ＲＵ）を構成する方法について詳細に説明する。
【００８９】
キャリアを結合して構成されたキャリア集合は、マルチキャリアを支援する移動端末（ＡＭＳ）の他に、シングルキャリアを支援する移動端末が使用することができる。また、マルチキャリア受信が可能であるが、現在シングルキャリアのみを使用する移動端末も、キャリア集合を用いることができる。したがって、キャリア集合で使用されるように定義される物理リソースユニット（ＰＲＵ：Ｐｈｙｓｉｃａｌ  Ｒｅｓｏｕｒｃｅ  Ｕｎｉｔ）の構造は、シングルキャリアシステムで使用されるＰＲＵと同一に設計されることが好ましい。
【００９０】
結合されたキャリア（すなわち、キャリア集合）を使用する場合、既存にガードキャリア（Ｇｕａｒｄ  ｓｕｂｃａｒｒｉｅｒ）として使用された部分を、データ伝送のために使用することができる。すなわち、図４のガードリソースがガードキャリアである。
【００９１】
ガードリソースに該当するサブキャリア構造は、一般に、既存のＰＲＵ構造を同様に使用することが効率的である。実際に、全帯域幅に比べてガードリソース領域が占める比率が高くないため、新しい構造を適用することは非効率的である。この場合、既存のＰＲＵ構造を適用して新しく構成したＰＲＵをガードリソースユニット（ＧＲＵ：Ｇｕａｒｄ  Ｒｅｓｏｕｒｃｅ  Ｕｎｉｔ）と定義することができる。
【００９２】
一般に、ＰＲＵは、ダイバーシティモード（ｄｉｖｅｒｓｉｔｙ  ｍｏｄｅ）で適用するための分散リソースユニット（ＤＲＵ：Ｄｉｓｔｒｉｂｕｔｅｄ  ＲＵ）とバンドＡＭＣ（ｂａｎｄ  ＡＭＣ）モードで適用するための隣接リソースユニット（ＣＲＵ：Ｃｏｎｔｉｇｕｏｕｓ  ＲＵ）または集中化された論理リソースユニット（ＬＬＲＵ：Ｌｏｃａｌｉｚｅｄ  Ｌｏｇｉｃａｌ  Ｒｅｓｏｕｒｃｅ  Ｕｎｉｔ）とに分類することができる。
【００９３】
基地局でＤＲＵを構成するためには、全帯域に分散されている多数のＰＲＵに含まれたサブキャリアを再構成して使用することができる。この場合、ＧＲＵは一般的に全移動端末により使用されることは困難なため、ＣＲＵとして使用することが効率的である。
【００９４】
また、結合されたキャリア帯域幅で独立したＰＲＵを構成して残ったサブキャリアは、下記の３つのオプション（ｏｐｔｉｏｎ）とすることができる。
【００９５】
Ｏｐｔｉｏｎ  １：新しい不規則ＰＲＵ（ｉｒｒｅｇｕｌａｒ  ＰＲＵ）として使用する。すなわち、移動端末及び基地局は、残ったサブキャリアを不規則ＰＲＵとして構成してデータを送受信することができる。
【００９６】
Ｏｐｔｉｏｎ  ２：データを伝送せずに空いておく。
【００９７】
Ｏｐｔｉｏｎ  ３：該当の領域を受信できる移動端末のためにのみ定義される制御チャネル（ｃｏｎｔｒｏｌ  ｃｈａｎｎｅｌ）を伝送する用途にする。
【００９８】
一般に、残された領域は、結合された帯域幅（ａｇｇｒｅｇａｔｅｄ  ＢＷ）の中心周波数（ｃｅｎｔｅｒ  ｆｒｅｑｕｅｎｃｙ）が存在する場合が多いので、ＤＣのための空キャリア（ｎｕｌｌ  ｃａｒｒｉｅｒ）を含むようになる。この場合、データ割当の連続性が破られることがあるから、データを伝送せずに空いておくことが好ましい。
【００９９】
図８は、本発明の一実施例であって、キャリア結合のための隣接したキャリアのサブキャリアを整列する方法を示す図である。
【０１００】
もし、隣接したキャリアを連続して割り当てる場合、ＩＥＥＥ  ８０２．１６ｍシステムまたは３ＧＰＰ  ＬＴＥシステムで、隣接したＯＦＤＭＡキャリアに属している副搬送波は、副搬送波の位置が割り当てられていないから、キャリアエッジ部分では干渉信号とされることがある。
【０１０１】
もし、これらのサブキャリアが、相対的な相互位置がサブキャリア間隔の倍数とされていれば、基地局にとってはサブキャリアを通して伝送される信号に同一のＩＦＦＴを行って伝送することができる。こうすると、各キャリア間の相互干渉が生じない。
【０１０２】
また、干渉が存在しないため、結合された帯域幅全体を受信できる移動端末の場合は、このようなガードバンドに存在するサブキャリアもデータ伝送に使用することができる。このために、特定キャリアの中心周波数を周波数軸から移動（ｓｈｉｆｔ）することができる。
【０１０３】
図８を参照すると、キャリア＃０（Ｃａｒｒｉｅｒ  ＃０）のサブキャリアは矢印で示されており、キャリア＃１（Ｃａｒｒｉｅｒ  ＃１）のサブキャリアはダイアモンド形態で示されている。この場合、キャリア＃０とキャリア＃１との結合時に、両キャリア間に重なるサブキャリアが発生することがある。図８で、上図はサブキャリア整列前の様子を示し、下図は、サブキャリア整列後の様子を示す。ここで、キャリア＃０のサブキャリアを変化量（Δｆ）だけキャリア＃１に移動することによって、両キャリアの干渉を減らすことができる。
【０１０４】
図９は、本発明の一実施例であって、キャリア集合を構成する方法を示す図である。
【０１０５】
本発明の実施例に適用可能なキャリア集合に対する構成方法は、次の通りである。（１）全体結合帯域幅のＤＣサブキャリアは、常に全体帯域幅の中心に位置させる。（２）中心周波数を基準にして１つ以上のサブバンドを外側の方向に順次に結合する。（３）各サブバンドの中心周波数は、全体帯域の中心周波数方向にサブキャリアスペーシング（ｓｕｂ−ｃａｒｒｉｅｒ  ｓｐａｃｉｎｇ）を同一にする方法で周波数遷移（ｓｈｉｆｔ）することが好ましい。（４）周波数遷移値は、ＯＦＤＭＡのサブキャリアスペーシングよりも小さいことが好ましい。例えば、周波数遷移値をサブキャリアスペーシングの半分よりも小さく設定することができる。
【０１０６】
図９の（ａ）は、サブバンドの間に全体中心周波数が位置する場合を示し、図９の（ｂ）は、中間に位置しているサブバンドの中心周波数及び全体帯域の中心周波数が同一の周波数に位置している場合を示す。図９の（ａ）及び図９の（ｂ）は、上述したキャリア集合を構成する方法によって構成されるキャリア集合を示す。
【０１０７】
以下では、上述のキャリア集合構造を生成する方法を用いて生成されるキャリア集合構造について説明する。
【０１０８】
図１０は、本発明の他の実施例であって、キャリア集合の構造の一例を示す図である。
【０１０９】
図１０の右側に構成された帯域幅は、従来（Ｌｅｇａｃｙ）の２０ＭＨｚ帯域を示す。ここで、従来２０ＭＨｚ帯域は、９６個の物理的リソースユニット（ＰＲＵ：Ｐｈｓｙｉｃａｌ  Ｒｅｓｏｕｒｃｅ  Ｕｎｉｔ）で構成されることができる。一つのＰＲＵは、一つの規則的な大きさを有する規則ＲＵ（ｒｅｇｕｌａｒ  ＲＵ）を構成することができ、一つの規則ＲＵは、１８サブキャリア及び６ＯＦＤＭシンボルで構成されることができる。また、従来の２０ＭＨｚ帯域は、２０ＭＨｚ帯域のための従来のガードバンドを有することができる。
【０１１０】
図１０の左側に構成されている帯域幅は、従来１０ＭＨｚ帯域を結合して生成されたキャリア集合の構成を示す。ここで、キャリア集合はそれぞれ４８個のＰＲＵで構成される２つの１０ＭＨｚ帯域、２つの規則ＲＵ及び１つの不規則ＲＵ（ｉｒｒｅｇｕｌａｒ  ＲＵ）で構成されることができる。キャリア集合構造は、総９８個のＰＲＵと１つの不規則ＲＵを使用するもので、従来使用される２０ＭＨｚ帯域で９６個のＰＲＵが使用される場合に比べて２個以上のＰＲＵが増加している。
【０１１１】
もし、既存の２０ＭＨｚ帯域で信号送受信が可能な移動端末があるとすれば、その送受信特性によって、全体９８個のＰＲＵを全部送受信する場合、９６個を送受信する場合、及び９４個のＰＲＵのみを送受信する場合に区別することができる。結局として、特定端末においてキャリア集合で構成された帯域は、拡張された２０ＭＨｚ帯域または縮小された２０ＭＨｚ帯域とされることができる。この場合、縮小された２０ＭＨｚ帯域は９５個のＰＲＵ（例えば、９４個の規則ＲＵ及び１つの不規則ＲＵ）で構成されることができ、拡張された２０ＭＨｚ帯域は、９７個のＰＲＵ（例えば、９６個の規則ＲＵ及び１つの不規則ＲＵ）または９９個のＰＲＵ（例えば、９８個の規則ＲＵ及び１つの不規則ＲＵ）で構成されることができる。
【０１１２】
ここで、縮小された２０ＭＨｚ帯域は、従来の２０ＭＨｚ帯域に比べて両側面がそれぞれ１２０ＫＨｚずつ縮小されることができる。また、１０ＭＨｚ帯域が結合して形成されたキャリア集合は、従来の２０ＭＨｚ帯域に比べて両側面がそれぞれ２７５ｋＨｚずつ増大されることができる。
【０１１３】
図１１は、本発明の他の実施例であって、キャリア集合の構造の他の例を示す図である。
【０１１４】
図１１で、右側の従来２０ＭＨｚ帯域についての説明は、図１０と同一である。ただし、図１１の左側に開示しているキャリア集合は、図１０と相違している。図１１を参照すると、このキャリア集合は、２つの５ＭＨｚ帯域と１つの１０ＭＨｚ帯域との結合により構成されることができる。この場合、結合された５ＭＨｚ帯域の間及び５ＭＨｚ帯域と１０ＭＨｚ帯域との間には、それぞれ、不規則ＲＵが位置することができる。ここで、１０ＭＨｚ帯域は４８個のＰＲＵで構成され、５ＭＨｚ帯域は、それぞれ、２４個のＰＲＵで構成される。また、５ＭＨｚ帯域の間の不規則ＲＵは、２５個のサブキャリア及び６個のＯＦＤＭＡシンボルで構成されることができ、１０ＭＨｚ帯域と５ＭＨｚ帯域との間の不規則ＲＵは、１９個のサブキャリア及び６個のＯＦＤＭＡシンボルで構成されることができる。したがって、結合されたキャリア集合構造において、全体帯域幅は９９個のＰＲＵで構成されることができる。
【０１１５】
また、キャリア集合は、拡張された２０ＭＨｚ帯域または縮小された２０ＭＨｚ帯域とされることができる。この場合、縮小された２０ＭＨｚ帯域は、９４個のＰＲＵ（例えば、９２個の規則ＲＵ及び２個の不規則ＲＵ）で構成されることができる。また、キャリア集合は、縮小された１０ＭＨｚ帯域及び所定個数のＰＲＵで構成されることができる。本文書で言及しないキャリア集合を構成する要素に対する値は、図１０及び図１１を参照すれば良い。
【０１１６】
以下では、本発明の他の実施例として、キャリア集合に関する構成情報を送受信する方法について説明する。
【０１１７】
キャリア集合構造、すなわち、マルチキャリア構造（Ｍｕｌｔｉｃａｒｒｉｅｒ  ｓｔｒｕｃｔｕｒｅ）は、様々な構成パラメータ（ｃｏｎｆｉｇｕｒａｔｉｏｎ  ｐａｒａｍｅｔｅｒ）を用いて構成することができる。基地局で構成可能なキャリア集合構造を全て表現しようとする場合、多すぎる構成情報を移動端末に伝送しなければならない。
【０１１８】
下記の表３には、基地局が移動端末に伝送するキャリア集合構成情報のうち、重要なパラメータの一例を示す。
【０１１９】
【表３】
2011527549.tif 000006
基地局で表３のようなキャリア集合構成情報をそのまま移動端末に伝送することは非効率的である。したがって、基地局であらかじめ定められたキャリアの構成をインデックス化し、インデックスのみを移動端末に伝送することによって效率的にキャリア構成情報を伝送することができる。このようなインデックスをマルチキャリア構成インデックス（ＭＣＩ：Ｍｕｌｔｉｃａｒｒｉｅｒ  Ｃｏｎｆｉｇｕｒａｔｉｏｎ  Ｉｎｄｅｘ）と定義することができる。
【０１２０】
下記の表４に、マルチキャリア構成インデックス（ＭＣＩ）の一例を示す。
【０１２１】
【表４】
2011527549.tif 000007
もし、本発明の実施例で、キャリア集合にさらなる制限要件を与えることで、より簡略なＭＣＩを構成することができる。ＭＣＩに含まれる情報のうち重要な情報には、総帯域幅、中心周波数（Ｃｅｎｔｅｒ  Ｆｒｅｑｕｅｎｃｙ）及び個別サブバンドに関する構成情報などがある。
【０１２２】
表５には、重要情報を用いて再構成したマルチキャリア構成インデックス（ＭＣＩ）の他の例を示す。
【０１２３】
【表５】
2011527549.tif 000008
表５を参照すると、ＭＣＩは、総帯域幅の大きさ、キャリア集合を構成するサブバンドの個数及びサブバンドの順序に関する情報で構成されることができる。ここで、サブバンドの順序はビットマップで表現されることができ、ビット０（ｂｉｔ０）は１０ＭＨｚのサブバンドを表し、ビット１（ｂｉｔ１）は２０ＭＨｚのサブバンドを表す。
【０１２４】
もし、５ＭＨｚまたはその他の大きさの帯域を有するサブバンドが存在するとすれば、ＭＣＩは、２ビットの大きさで表現することができる。基地局は、表４または表５のＭＣＩを、マルチキャリアのうち主キャリア（ｐｒｉｍａｒｙ  ｃａｒｒｉｅｒ）を通して移動端末に伝送することができる。
【０１２５】
図１２は、本発明のさらに他の実施例であって、ＭＣＩ情報を送受信する方法の一例を示す図である。
【０１２６】
基地局（ＡＢＳ）は、基地局のキャリア集合に関する構成情報を含むＭＣＩを、移動端末の要請がない場合にも周期的に放送することができる（Ｓ１２０１）。
【０１２７】
移動端末（ＡＭＳ）は、基地局からＭＣＩを受信すると、自身がマルチキャリア（ＭＣ）（すなわち、キャリア集合）を支援するか否か確認する（Ｓ１２０２）。移動端末がＭＣを支援すると、移動端末は、移動端末の伝送分光マスク形態情報を含むマルチキャリア性能情報を基地局（ＡＢＳ）に伝送することができる（Ｓ１２０３ａ）。
【０１２８】
移動端末は、ＭＣＩからＭＣ構成情報を獲得し（Ｓ１２０４）、ＭＣＩから、基地局から提供するキャリア集合に対する帯域幅、キャリアの個数（または、サブバンドの個数）及び中心周波数（各キャリアの周波数遷移情報を含む。）のうち、１つ以上を導き出すことができる（Ｓ１２０５）。
【０１２９】
基地局は、移動端末から受信した移動端末のＭＣ性能を獲得し、移動端末のＭＣ性能に基づいて移動端末に無線リソースを割り当てることができる（Ｓ１２０６）。
【０１３０】
基地局は、移動端末に割り当てた無線リソースに関する情報を移動端末に伝送することができる（Ｓ１２０７）。
【０１３１】
図１２のＳ１２０２段階で、移動端末がマルチキャリアを支援しない場合は、上述の手順を進行せずに、シングルキャリアシステムとして動作することができる（Ｓ１２０３ｂ）。
【０１３２】
図１３は、本発明のさらに他の実施例であって、ＭＣＩ情報を送受信する方法の他の例を示す図である。
【０１３３】
図１３を参照すると、移動端末（ＡＭＳ）は、表２に示す移動端末の伝送分光マスク形態パラメータを含むマルチキャリア（ＭＣ）性能情報を、基地局（ＡＢＳ）に伝送することができる（Ｓ１３０１）。
【０１３４】
Ｓ１３０１段階において、伝送分光マスク形態パラメータは、基地局との初期登録過程で登録要請（ＲＥＧ-ＲＥＱ）メッセージに、性能交渉過程で加入者端末基本性能要請（ＳＢＣ−ＲＥＱ）メッセージに、または遊休モード状態で位置更新時にレンジング要請（ＲＮＧ−ＲＥＱ）メッセージに含まれて基地局に伝送されることができる。
【０１３５】
基地局（ＡＢＳ）は、移動端末のマルチキャリア性能情報を獲得することができる（Ｓ１３０２）。また、基地局は、移動端末の性能に基づいて移動端末に無線リソースを割り当て、基地局で支援するキャリア集合（すなわち、マルチキャリア）の構成情報を表すＭＣＩを構成することができる（Ｓ１３０３）。基地局は、構成したＭＣＩを移動端末に伝送することができる（Ｓ１３０４）。
【０１３６】
Ｓ１３０４段階で、基地局は、登録応答（ＲＥＧ−ＲＳＰ）メッセージ、加入者端末基本性能応答（ＳＢＣ−ＲＳＰ）メッセージまたはレンジング応答（ＲＮＧ−ＲＳＰ）メッセージにＭＣＩを含めて移動端末に伝送することができる。この時、ＲＥＧ−ＲＳＰ、ＳＢＣ−ＲＳＰ及びＲＮＧ−ＲＳＰメッセージには、基地局から移動端末に割り当てた無線リソース情報及び基地局の支援するシステム情報（例えば、キャリア集合情報など）をさらに含めることができる。
【０１３７】
移動端末は、受信したＭＣＩからＭＣ構成情報を獲得して基地局と通信を行うことができる（Ｓ１３０５）。
【０１３８】
以下では、本発明のさらに他の実施例として、図５乃至図１３で説明した本発明の実施例が実行される移動端末及び基地局について説明する。
【０１３９】
移動局は、アップリンクでは送信機として動作し、ダウンリンクでは受信機として動作することができる。また、基地局は、アップリンクでは受信機として動作し、ダウンリンクでは送信機として動作することができる。すなわち、移動局及び基地局は、情報またはデータの伝送のために送信機及び受信機を含むことができる。
【０１４０】
送信機及び受信機は、本発明の実施例を行うためのプロセッサ、モジュール、部分及び／または手段などを含むことができる。特に、送信機及び受信機は、メッセージを暗号化するためのモジュール（手段）、暗号化されたメッセージを解析するためのモジュール、メッセージを送受信するためのアンテナなどを含むことができる。
【０１４１】
本発明の実施例で用いられる移動局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、移動局は、上述した本発明の実施例を行うためのコントローラ機能、サービス特性及び電波環境によるＭＡＣ（Ｍｅｄｉｕｍ  Ａｃｃｅｓｓ  Ｃｏｎｔｒｏｌ）フレーム可変制御機能、ハンドオーバー（Ｈａｎｄ  Ｏｖｅｒ）機能、認証及び暗号化機能、データ伝送のためのパケット変復調機能、高速パケットチャネルコーディング機能及び実時間モデム制御機能などを行う手段、モジュールまたは部分などを含むことができる。
【０１４２】
基地局は上位層から受信したデータを無線または有線で移動局に伝送することができる。基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、基地局は、上述した本発明の実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び電波環境によるＭＡＣフレーム可変制御機能、高速トラフィック実時間制御機能、ハンドオーバー機能、認証及び暗号化機能、データ伝送のためのパケット変復調機能、高速パケットチャネルコーディング機能及び実時間モデム制御機能などを行う手段、モジュールまたは部分などを含むことができる。
【０１４３】
特に、基地局は、キャリア集合構造（すなわち、キャリア結合構造）を生成し、これを支援するモジュールをさらに含むことができる。もちろん、このような機能を、基地局内に含まれたプロセッサで行うことができる。また、上述した移動端末の構造は、キャリア集合システム（例えば、マルチキャリアシステム）において上述の構成要素を有し、基地局と本発明の実施例で説明した動作を行うことができる。
【０１４４】
本発明は、本発明の精神及び必須特徴を逸脱しない範囲で様々な特定の形態に具体化することができる。したがって、上記の詳細な説明はいずれの面においても制限的に解釈されてはならず、例示的なものとして考慮しなければならない。本発明の範囲は、添付の請求項の合理的解釈によって決定されなければならず、よって、本発明の等価的範囲内における変更はいずれも本発明の範囲に含まれる。また、特許請求の範囲で明示的な引用関係を有しない請求項を結合して実施例を構成したり出願後の補正により新しい請求項として含めることができる。
【産業上の利用可能性】
【０１４５】
本発明の実施例は、様々な無線接続システムに適用することができる。様々な無線接続システムには、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムの他に、これら様々な無線接続システムを応用した技術分野のいずれにも適用することができる。
【図１】
2011527549.tif 000009
【図２】
2011527549.tif 000010
【図３】
2011527549.tif 000011
【図４】
2011527549.tif 000012
【図５】
2011527549.tif 000013
【図６】
2011527549.tif 000014
【図７】
2011527549.tif 000015
【図８】
2011527549.tif 000016
【図９】
2011527549.tif 000017
【図１０】
2011527549.tif 000018
【図１１】
2011527549.tif 000019
【図１２】
2011527549.tif 000020
【図１３】
2011527549.tif 000021
【手続補正書】
【提出日】平成23年1月6日(2011.1.6)
【手続補正１】
【補正対象書類名】明細書
【補正対象項目名】００３６
【補正方法】変更
【補正の内容】
【００３６】
上記本発明の他の様態において、キャリア集合は、一つ以上のキャリアが結合して生成されることができ、一つ以上のキャリアが、キャリア集合の中心周波数を基準に外側の方向に結合されることができる。また、分光マスク形態パラメータは、マルチキャリアに全体帯域幅対比有効帯域幅値として決定されることができる。
（項目１）
キャリア集合情報を送受信する方法であって、
移動端末が、該移動端末のマルチキャリア性能（ＭＣ）情報を含む第１メッセージを基地局に伝送する段階と、
前記基地局から、前記ＭＣ情報に基づいて割り当てられた無線リソースに関する割当情報を含む第２メッセージを受信する段階と、
を含み、
前記ＭＣ性能情報は、前記移動端末の支援可能なマルチキャリアに対する分光マスク形態パラメータを含む、キャリア集合情報送受信方法。
（項目２）
前記基地局から、該基地局で支援可能なキャリア集合と関連したマルチキャリア構成インデックス（ＭＣＩ）を受信する段階と、
前記ＭＣＩから、前記基地局で支援するマルチキャリア構成情報を獲得する段階と、
をさらに含む、項目１に記載のキャリア集合情報送受信方法。
（項目３）
前記ＭＣＩは、前記基地局で支援可能な前記キャリア集合の総帯域幅に関する情報、前記キャリア集合を構成するサブバンドの個数及び前記サブバンドの構成順序情報を含む、項目２に記載のキャリア集合情報送受信方法。
（項目４）
前記マルチキャリア構成情報は、前記キャリア集合の総帯域幅、前記キャリア集合を構成するキャリアの個数及び前記キャリア集合の中心周波数のうち１つ以上をさらに含む、項目２に記載のキャリア集合情報送受信方法。
（項目５）
前記分光マスク形態パラメータは、前記マルチキャリアに全体帯域幅対比有効帯域幅値として決定される、項目２に記載のキャリア集合情報送受信方法。
（項目６）
前記キャリア集合は、１つ以上のキャリアが結合して生成され、
前記１つ以上のキャリアが前記キャリア集合の中心周波数を基準に外側の方向に結合される、項目２に記載のキャリア集合情報送受信方法。
（項目７）
前記キャリア集合は、物理リソースユニット、ガードリソースユニット及び不規則物理リソースユニットのうち１つ以上を用いて構成される、項目６に記載のキャリア集合情報送受信方法。
（項目８）
キャリア集合情報を送受信する方法であって、
移動端末から、該移動端末のマルチキャリア性能（ＭＣ）情報を含む第１メッセージを受信する段階と、
前記ＭＣ情報に基づいて前記移動端末に無線リソースを割り当てる段階と、
前記無線リソースに関する割当情報を含む第２メッセージを前記移動端末に伝送する段階と、
を含み、
前記ＭＣ性能情報は、前記移動端末の支援可能なマルチキャリアに対する分光マスク形態パラメータを含む、キャリア集合情報送受信方法。
（項目９）
基地局で支援可能なキャリア集合と関連したマルチキャリア構成インデックス（ＭＣＩ）を前記移動端末に伝送する段階をさらに含む、項目８に記載のキャリア集合情報送受信方法。
（項目１０）
前記ＭＣＩは、前記基地局で支援可能な前記キャリア集合の総帯域幅に関する情報、前記キャリア集合を構成するサブバンドの個数及び前記サブバンドの構成順序情報を含む、項目９に記載のキャリア集合情報送受信方法。
（項目１１）
前記キャリア集合は１つ以上のキャリアが結合して生成され、
前記１つ以上のキャリアが、前記キャリア集合の中心周波数を基準に外側の方向に結合される、項目９に記載のキャリア集合情報送受信方法。
（項目１２）
前記分光マスク形態パラメータは、前記マルチキャリアに全体帯域幅対比有効帯域幅値として決定される、項目９に記載のキャリア集合情報送受信方法。
【手続補正２】
【補正対象書類名】特許請求の範囲
【補正対象項目名】全文
【補正方法】変更
【補正の内容】
【特許請求の範囲】
【請求項１】
無線接続システムにおいてマルチキャリア性能を交渉する方法であって、
ネットワーク進入過程でマルチキャリア性能を交渉し、基地局に登録するための登録要請（ＲＥＧ−ＲＥＱ）メッセージを前記基地局に伝送する段階と、
前記登録要請メッセージに対する応答として前記基地局から登録応答（ＲＥＧ−ＲＳＰ）メッセージを受信する段階と、
前記基地局からマルチキャリア構成及び周波数遷移値（Ｆｒｅｑｕｅｎｃｙ  ｓｈｉｆｔ  ｖａｌｕｅ）を示すマルチキャリア構成インデックス（ＭＣＩ）を含むメッセージを受信する段階と、を含み、
前記登録要請メッセージは、前記移動端末で支援可能なマルチキャリア性能に関する情報を含み、前記登録応答メッセージは、前記基地局で支援可能なマルチキャリア性能に関する情報を含む、マルチキャリア性能交渉方法。
【請求項２】
前記ＭＣＩを含むメッセージは、前記マルチキャリア構成に含まれたキャリアの個数を示すフィールド及び前記マルチキャリア構成に含まれたキャリアの種類を示すフィールドをさらに含む、請求項１に記載のマルチキャリア性能交渉方法。
【請求項３】
前記移動端末で支援可能なマルチキャリア性能に関する情報は、前記移動端末で支援可能な帯域幅に関連するパラメータを含む、請求項２に記載のマルチキャリア性能交渉方法。
【請求項４】
前記周波数遷移値は、重なり合ったサブキャリアの整列のために、マルチキャリアに含まれたキャリアのうち隣接したキャリアに適用される、請求項２に記載のマルチキャリア性能交渉方法。
【請求項５】
前記移動端末は、前記サブキャリア整列された前記隣接したキャリアのガードバンドを通してデータを送受信する、請求項４に記載のマルチキャリア性能交渉方法。
【請求項６】
無線接続システムにおいてマルチキャリア性能を交渉する方法であって、
ネットワーク進入過程でマルチキャリア性能を交渉し、基地局に登録するための登録要請（ＲＥＧ−ＲＥＱ）メッセージを移動端末から受信する段階と、
前記登録要請メッセージに対する応答として前記移動端末に登録応答（ＲＥＧ−ＲＳＰ）メッセージを伝送する段階と、
マルチキャリア構成及び周波数遷移値（Ｆｒｅｑｕｅｎｃｙ  ｓｈｉｆｔ  ｖａｌｕｅ）を示すマルチキャリア構成インデックス（ＭＣＩ）を含むメッセージを前記移動端末に伝送する段階と、を含み、
前記登録要請メッセージは、前記移動端末で支援可能なマルチキャリア性能に関する情報を含み、前記登録応答メッセージは、前記基地局で支援可能なマルチキャリア性能に関する情報を含む、マルチキャリア性能交渉方法。
【請求項７】
前記ＭＣＩを含むメッセージは、前記マルチキャリア構成に含まれたキャリアの個数を示すフィールド及び前記マルチキャリア構成に含まれたキャリアの種類を示すフィールドをさらに含む、請求項６に記載のマルチキャリア性能交渉方法。
【請求項８】
前記移動端末で支援可能なマルチキャリア性能に関する情報は、前記移動端末で支援可能な帯域幅に関連するパラメータを含む、請求項７に記載のマルチキャリア性能交渉方法。
【請求項９】
前記周波数遷移値は、重なり合ったサブキャリアの整列のために、マルチキャリアに含まれたキャリアのうち隣接したキャリアに適用される、請求項７に記載のマルチキャリア性能交渉方法。
【請求項１０】
前記基地局は、前記サブキャリア整列された前記隣接したキャリアのガードバンドを通してデータを送受信する、請求項９に記載のマルチキャリア性能交渉方法。
【請求項１１】
無線接続システムにおいてマルチキャリア性能を交渉する方法を支援する移動端末であって、
前記移動端末は、
送信器と、
受信器と、
前記マルチキャリア性能を交渉する方法を支援するプロセッサと、を含み、
前記移動端末は、ネットワーク進入過程でマルチキャリア性能を交渉し、基地局に登録するための登録要請（ＲＥＧ−ＲＥＱ）メッセージを前記送信器を通じて前記基地局に伝送し、
前記登録要請メッセージに対する応答として前記基地局から転送された登録応答（ＲＥＧ−ＲＳＰ）メッセージを前記受信器を通じて受信し、
前記基地局からマルチキャリア構成及び周波数遷移値（Ｆｒｅｑｕｅｎｃｙ  ｓｈｉｆｔ  ｖａｌｕｅ）を示すマルチキャリア構成インデックス（ＭＣＩ）を含むメッセージを前記受信器を通じて受信し、
前記登録要請メッセージは、前記移動端末で支援可能なマルチキャリア性能に関する情報を含み、前記登録応答メッセージは、前記基地局で支援可能なマルチキャリア性能に関する情報を含む、移動端末。
【請求項１２】
前記ＭＣＩを含むメッセージは、前記マルチキャリア構成に含まれたキャリアの個数を示すフィールド及び前記マルチキャリア構成に含まれたキャリアの種類を示すフィールドをさらに含む、請求項１１に記載の移動端末。
【請求項１３】
前記移動端末で支援可能なマルチキャリア性能に関する情報は、前記移動端末で支援可能な帯域幅に関連するパラメータを含む、請求項１２に記載の移動端末。
【請求項１４】
前記周波数遷移値は、重なり合ったサブキャリアの整列のために、マルチキャリアに含まれたキャリアのうち隣接したキャリアに適用される、請求項１２に記載の移動端末。
【請求項１５】
前記移動端末は、前記サブキャリア整列された前記隣接したキャリアのガードバンドを通してデータを送受信する、請求項１４に記載の移動端末。
【請求項１６】
無線接続システムにおいてマルチキャリア性能を交渉する方法を支援する基地局であって、
前記基地局は、
送信器と、
受信器と、
前記マルチキャリア性能を交渉する方法を支援するプロセッサと、を含み、
前記基地局は、ネットワーク進入過程でマルチキャリア性能を交渉し、基地局に登録するための登録要請（ＲＥＧ−ＲＥＱ）メッセージを前記受信器を通じて移動端末から受信し、
前記登録要請メッセージに対する応答として登録応答（ＲＥＧ−ＲＳＰ）メッセージを前記送信器を通じて前記移動端末に伝送し、
マルチキャリア構成及び周波数遷移値（Ｆｒｅｑｕｅｎｃｙ  ｓｈｉｆｔ  ｖａｌｕｅ）を示すマルチキャリア構成インデックス（ＭＣＩ）を含むメッセージを前記送信器を通じて前記移動端末に伝送し、
前記登録要請メッセージは、前記移動端末で支援可能なマルチキャリア性能に関する情報を含み、前記登録応答メッセージは、前記基地局で支援可能なマルチキャリア性能に関する情報を含む、基地局。
【請求項１７】
前記ＭＣＩを含むメッセージは、前記マルチキャリア構成に含まれたキャリアの個数を示すフィールド及び前記マルチキャリア構成に含まれたキャリアの種類を示すフィールドをさらに含む、請求項１６に記載の基地局。
【請求項１８】
前記移動端末で支援可能なマルチキャリア性能に関する情報は、前記移動端末で支援可能な帯域幅に関連するパラメータを含む、請求項１７に記載の基地局。
【請求項１９】
前記周波数遷移値は、重なり合ったサブキャリアの整列のために、マルチキャリアに含まれたキャリアのうち隣接したキャリアに適用される、請求項１７に記載の基地局。
【請求項２０】
前記基地局は、前記サブキャリア整列された前記隣接したキャリアのガードバンドを通してデータを送受信する、請求項１９に記載の基地局。
【国際調査報告】
2011527549.tif 000022
2011527549.tif 000023
2011527549.tif 000024
2011527549.tif 000025